(57)【要約】【課題】  高い所でも低い所でも、また水平方向に少し離れたところでも、身体に負担をかけず、単純な操作で容易に目的物に水等を注ぐことができるひしゃくを提供する。【解決手段】  容器と、容器の側面に連結される柄と、を備え、柄は、使用者が把持する把持部と、先端が容器の側面に回動可能に枢支される支持部とからなり、支持部又は容器の少なくとも何れかに、柄の把持部側を上方に傾けた第１の使用状態及び把持部側を下方に傾けた第２の使用状態で、容器と柄との回動範囲を規制する回動規制機構を設ける。【選択図】図１
2020025514.tif 000002
【特許請求の範囲】
【請求項１】
容器と、
前記容器に連結される柄と、を備え、
前記柄は、使用者が把持する把持部と、先端が前記容器に回動可能に枢支される支持部とからなり、
前記容器は、内壁に掛け渡された長尺部材を備え、
前記支持部は、容器の側壁を貫通して先端が前記長尺部材に枢支され、前記支持部又は長尺部材の少なくとも何れかに、前記柄の把持部側を上方に傾けた第１の使用状態及び前記把持部側を下方に傾けた第２の使用状態で、前記容器と柄との回動範囲を規制する回動規制機構を設けた
ことを特徴とするひしゃく。
【請求項２】
容器と、
前記容器に連結される柄と、を備え、
前記柄は、使用者が把持する把持部と、先端が前記容器の側面に回動可能に枢支される支持部とからなり、
前記支持部の先端は、容器の側面に形成された枢支孔に挿通されて容器の内方に延設され、
前記枢支孔及び支持部の少なくとも何れかに、前記柄の把持部側を上方に傾けた第１の使用状態及び前記把持部側を下方に傾けた第２の使用状態で、前記容器と柄とを所定角度に保持する回動規制機構を設けた
ことを特徴とするひしゃく。
【請求項３】
請求項２に記載のひしゃくであって、前記支持部の先端は容器の外周に沿って延設されて、容器の側面に形成された枢支孔に挿通され、枢支されることを特徴とするひしゃく。
【請求項４】
請求項２または３に記載のひしゃくであって、
前記回動規制機構は、前記枢支孔の内方に突設された第１の突部と、断面が楕円形状に形成された支持部若しくは支持部の外方に突設された第２の突部とで構成され、
前記第１および第２の使用状態で、前記第１の突部と支持部の短径の外周面、若しくは前記第１の突部と第２の突部とが係止されて前記容器と柄とを所定角度に保持する
ことを特徴とするひしゃく。
【請求項５】
請求項２または３に記載のひしゃくであって、
前記回動規制機構は、前記断面が複数の角部を有する形状に形成された支持部と、前記少なくとも一面が平坦に形成された枢支孔とで構成され、
前記第１の使用状態で前記支持部の一の角部が枢支孔の平坦面に当接して前記容器と柄とを所定角度に保持すると共に、前記第２の使用状態で前記支持部の他の角部が枢支孔の平坦面に当接して前記容器と柄とを所定角度に保持する
ことを特徴とするひしゃく。
【請求項６】
容器と、
前記容器に連結される柄と、を備え、
前記柄は、使用者が把持する把持部と、前記容器の側面に回動可能に枢支される支持部とからなり、
前記支持部は、容器の側面を貫通して容器内部に延設されると共に、先端が前記容器の内壁及び又は底面に向かって屈曲形成され、さらに支持部を回動した場合に容器の内壁及び又は底面に当接し得る長さに形成され、
前記柄の把持部側を上方に傾けた第１の使用状態で、前記支持部の先端が前記容器の一の内壁に係止されて前記容器と柄ととを所定角度に保持すると共に、前記把持部側を下方に傾けた第２の使用状態で前記支持部の先端が前記容器の底面又は他の内壁に係止されて前記容器と柄とを所定角度に保持する
ことを特徴とするひしゃく。
【請求項７】
請求項６に記載のひしゃくであって、
前記容器の内壁及び又は底面には、支持部の先端を係止する凸部又は凹部が形成され、
前記第１及び第２の使用状態において、支持部の先端が前記凸部又は凹部に係止されて前記容器と柄とを所定角度に保持する
ことを特徴とするひしゃく。
【請求項８】
請求項６に記載のひしゃくであって、
前記支持部の先端は、側面視でＬ字、逆Ｌ字、円弧、若しくはＴ字状に屈曲形成される
ことを特徴とするひしゃく。
【請求項９】
請求項６に記載のひしゃくであって、
前記支持部の先端は、複数の屈曲部が固着されてＶ字状に構成され、
前記第１の使用状態で、一の屈曲部が容器の一の内壁又は底面に係止されて前記容器と柄とを所定角度に保持し、
前記第２の使用状態で、他の屈曲部が容器の底面又は他の内壁に係止されて前記容器と柄とを所定角度に保持する
ことを特徴とするひしゃく。
【請求項１０】
請求項1乃至９の何れかに記載のひしゃくであって、前記柄の把持部側を下方に傾けた第２の使用状態で、前記支持部が前記容器の側面に当接して柄と容器とが所定角度に保持される
ことを特徴とするひしゃく。
【請求項１１】
容器と、
前記容器に連結される柄と、を備え、
前記柄は、使用者が把持する把持部と、前記容器の側面に回動可能に枢支される支持部とからなり、
前記容器の側面には、上下方向の長孔が穿設された支持板が固着され、
前記支持部は、先端が前記長孔を貫通して前記容器の対向する側面に回動可能に枢支され、
前記柄の把持部側を上方に傾けた第１の使用状態で、前記支持部の下端が前記長孔の上端に係止されてこの前記容器と柄とを所定角度に保持すると共に、前記把持部側を下方に傾けた第２の使用状態で前記支持部の上端が前記長孔の下端に係止されて前記容器と柄とを所定角度に保持する
ことを特徴とするひしゃく。
【請求項１２】
請求項１１に記載のひしゃくであって、
前記支持部は、上下方向に屈曲形成されたクランク部を有し、このクランク部が前記支持板の長孔に挿通される
ことを特徴とするひしゃく。
【請求項１３】
請求項１乃至１２の何れかに記載のひしゃく用の柄。
【発明の詳細な説明】
【技術分野】
【０００１】
本発明は、高い所や低い所、水平方向に少し離れた所でも身体に負担をかけず、単純な操作で容易に目的物に水等を注ぐことができるひしゃくに関するものである。
【背景技術】
【０００２】
日常のさまざまなシーンにおいて、ひしゃくは、水等を汲んで目的物にかけたり注いだりする道具として用いられている。しかし従来のひしゃくは容器に対して柄が斜め上方に向かって取り付けられているため、目的物より余分に腕を高く上げなければならなかった。例えば植物の鉢等に水をやったり、墓参で墓石に水をかけたりする場合、目的物が胸程度の高さにあれば、腕を頭程度の高さまで上げなければならず、身体に負担がかかっていた。目的物が頭程度の高さにある場合は。困難を極め、それ以上の高さになると注水は不可能であった。また水平方向に少し離れた所に目的物がある場合は、腕を余分に高く上げた状態で腕を伸ばして注ぐ姿勢を強いられ、身体に負担がかかっていた。しかも、従来のひしゃくの場合、容器に柄が固定されているため、握っている柄の角度がくずれれば即水等ががこぼれるため、汲んだ水等をこぼさないよう柄の角度を維持しつつ、目的物まで移動しなければならず、腕を高く上げれば上げるほど、柄を握っている手首がねじれてしまい、関節を痛めかねなかった。
【先行技術文献】
【特許文献】
【０００３】
【特許文献１】特開２００５−１５９４２
【発明の概要】
【発明が解決しようとする課題】
【０００４】
特許文献１の技術では、こぼさずに水を汲み上げ、高いところでも立ち位置から離れた少し遠いところでも容易に水やりが可能である。しかし、底部にある水流穴から水を取水し、排出孔から水を排出するため、取水にも排水にも時間がかかる。また、粘液状、粒状、内容物のある液体などには用いることができないため、汎用性が乏しい。さらに、蓋や管を備えており、その形状から仏事などに用いるには抵抗がある。
【０００５】
本発明はこのような点に鑑みて行われたものであり、その目的とするところは、高い所でも低い所でも、また水平方向に少し離れたところでも、身体に負担をかけず、単純な操作で容易に目的物に水等を注ぐことができるひしゃくに関するものである。
【課題を解決するための手段】
【０００６】
上述の目的を達成する本発明のひしゃくは、容器と、前記容器に連結される柄と、を備え、前記柄は、使用者が把持する把持部と、先端が前記容器に回動可能に枢支される支持部とからなり、前記容器は、内壁に掛け渡された長尺部材を備え、前記支持部は、容器の側壁を貫通して先端が前記長尺部材に枢支され、前記支持部又は長尺部材の少なくとも何れかに、前記柄の把持部側を上方に傾けた第１の使用状態及び前記把持部側を下方に傾けた第２の使用状態で、前記容器と柄との回動範囲を規制する回動規制機構を設ける。
【０００７】
また、本発明のひしゃくは、容器と、前記容器に連結される柄と、を備え、前記柄は、使用者が把持する把持部と、先端が前記容器の側面に回動可能に枢支される支持部とからなり、前記支持部の先端は、容器の側面に形成された枢支孔に挿通されて容器の内方に延設され、前記枢支孔及び支持部の少なくとも何れかに、前記柄の把持部側を上方に傾けた第１の使用状態及び前記把持部側を下方に傾けた第２の使用状態で、前記容器と柄とを所定角度に保持する回動規制機構を設ける。
【０００８】
好ましくは、前記支持部の先端は容器の外周に沿って延設されて、容器の側面に形成された枢支孔に挿通され、枢支される。
【０００９】
また好ましくは、前記回動規制機構は、前記枢支孔の内方に突設された第１の突部と、断面が楕円形状に形成された支持部若しくは支持部の外方に突設された第２の突部とで構成され、前記第１および第２の使用状態で、前記第１の突部と支持部の短径の外周面、若しくは前記第１の突部と第２の突部とが係止されて前記容器と柄とを所定角度に保持する。
【００１０】
さらに好ましくは、前記回動規制機構は、前記断面が複数の角部を有する形状に形成された支持部と、前記少なくとも一面が平坦に形成された枢支孔とで構成され、前記第１の使用状態で前記支持部の一の角部が枢支孔の平坦面に当接して前記容器と柄とを所定角度に保持すると共に、前記第２の使用状態で前記支持部の他の角部が枢支孔の平坦面に当接して前記容器と柄とを所定角度に保持する。
【００１１】
また、本発明のひしゃくは、容器と、前記容器に連結される柄と、を備え、前記柄は、使用者が把持する把持部と、前記容器の側面に回動可能に枢支される支持部とからなり、前記支持部は、容器の側面を貫通して容器内部に延設されると共に、先端が前記容器の内壁及び又は底面に向かって屈曲形成され、さらに支持部を回動した場合に容器の内壁及び又は底面に当接し得る長さに形成され、前記柄の把持部側を上方に傾けた第１の使用状態で、前記支持部の先端が前記容器の一の内壁に係止されてこの前記容器と柄とを所定角度に保持すると共に、前記把持部側を下方に傾けた第２の使用状態で前記支持部の先端が前記容器の底面又は他の内壁に係止されてこの前記容器と柄とを所定角度に保持する。
【００１２】
好ましくは、前記容器の内壁及び又は底面には、支持部の先端を係止する凸部又は凹部が形成され、前記第１及び第２の使用状態において、支持部の先端が前記凸部又は凹部に係止されて前記容器と柄とを所定角度に保持する。
【００１３】
また好ましくは、前記支持部の先端は、側面視でＬ字、逆Ｌ字、円弧、若しくはＴ字状に屈曲形成される。
【００１４】
さらに好ましくは、前記支持部の先端は、複数の屈曲部が固着されてＶ字状に構成され、前記第１の使用状態で、一の屈曲部が容器の一の内壁又は底面に係止されて前記容器と柄とを所定角度に保持し、前記第２の使用状態で、他の屈曲部が容器の底面又は他の内壁に係止されて前記容器と柄とを所定角度に保持する。
【００１５】
上述の本発明のひしゃくは、好ましくは前記柄の把持部側を下方に傾けた第２の使用状態で、前記支持部が前記容器の側面に当接して柄と容器とが所定角度に保持される。
【００１６】
さらに本発明のひしゃくは、容器と、前記容器に連結される柄と、を備え、前記柄は、使用者が把持する把持部と、前記容器の側面に回動可能に枢支される支持部とからなり、前記容器の側面には、上下方向の長孔が穿設された支持板が固着され、前記支持部は、先端が前記長孔を貫通して前記容器の対向する側面に回動可能に枢支され、前記柄の把持部側を上方に傾けた第１の使用状態で、前記支持部の下端が前記長孔の上端に係止されてこの前記容器と柄ととを所定角度に保持すると共に、前記把持部側を下方に傾けた第２の使用状態で前記支持部の上端が前記長孔の下端に係止されて前記容器と柄とを所定角度に保持する。
【００１７】
好ましくは、前記支持部は、上下方向に屈曲形成されたクランク部を有し、このクランク部が前記支持板の長孔に挿通される。
【００１８】
また、本発明は上記記載のひしゃく用の柄である。
【発明の効果】
【００１９】
本発明のひしゃくによれば、支持部の先端が容器の側面に回動可能に枢支されるため、把持部を上方に傾けても、下方に傾けても、容器に満たされた水等の重みが柄の角度に関係なく自らの均衡を保つから、使用者の楽な腕の位置、楽な手首の角度で柄を把持しながら、高い所でも低い所でも、水平方向に少し離れた所でも、こぼさずに目的物まで容器を移動することができる。目的物への注水等は一般のひしゃくの操作と同様に使用者が把持部を親指方向又は小指方向に回転すればよく、これにより、容器の回動軸線が傾くから、容器が傾き、同時に遠心力がはたらくため容器は傾きながら回動軸線を中心にして回ろうとするところ、柄の把持部側を上方に傾けた第１の使用状態では、少なくとも支持部又は容器のいずれかに設けられた回動規制機構が働き、また、柄の把持部側を下方に傾けた第２の使用状態では、少なくとも支持部又は容器のいずれかに設けられた回動規制機構が働き、容器の回動を止めるため、容器は安定して傾き、傾いた方向に水等が流れ出し、目的物への注水等が可能となる。
【００２０】
したがって、本発明のひしゃくは、高い所でも低い所でも、また水平方向に少し離れたところでも、身体に負担をかけず、単純な操作で容易に水等を目的物に注ぐことができる。
【図面の簡単な説明】
【００２１】
【図１】本発明に係るひしゃくの第１実施形態の斜視図である。
【図２】図１の平面図である。
【図３】図１の断面図である。
【図４】図１の側面図である。
【図５】本発明に係るひしゃくの第２実施形態の斜視図である。
【図６】本発明に係るひしゃくの別の第２実施形態の斜視図である。
【図７】第２実施形態の回動規制機構の拡大図と第２実施形態の平面図である。
【図８】第２実施形態の別の回動規制機構の拡大図と支持部の動きの説明図である。
【図９】本発明に係るひしゃくの第３実施形態の平面図である。
【図１０】第３実施形態の断面図と側面図である。
【図１１】第３実施形態の回動規制機構と支持部先端の形状を示す断面図である。
【図１２】図９下図の断面図と側面図である。
【図１３】本発明に係るひしゃくの第２の使用状態を示す支持部の説明図である。
【図１４】本発明に係るひしゃくの第４実施形態の平面図と側面図である。
【図１５】第４実施形態で用いることができる柄の例である。
【発明を実施するための形態】
【００２２】
以下、本発明の実施の形態について図面を参照して説明する。
図１は本発明に係るひしゃくの第１実施形態の斜視図である。第１実施形態のひしゃくは、容器１と、前記容器に連結される柄２と、を備え、前記柄２は、使用者が把持する把持部３と、先端が前記容器に回動可能に枢支される支持部４とからなり、前記容器１は、内壁に掛け渡された長尺部材７を備え、前記支持部４は、容器１の側壁を貫通して先端が前記長尺部材７に枢支され、前記支持部４又は長尺部材７の少なくとも何れかに、前記柄の把持部側を上方に傾けた第１の使用状態及び前記把持部側を下方に傾けた第２の使用状態で、前記容器１と柄２との回動範囲を規制する回動規制機構を設けた。
【００２３】
図２は、図１の平面図であり、回動規制機構５は長尺部材７のどちら側の側面に設けても良い。長尺部材７は、棒状、板状など支持部を枢支し、かつ、回動規制機構５を設けられれば形状は問わない。また、長尺部材７は容器１と一体的に設けられていることから、この明細書においては、長尺部材７も容器１に含まれ、すなわち長尺部材７の側面は容器側面とみなす。
【００２４】
図２のように回動規制機構５は長尺部材７に突部を設けるのが好ましい。支持部４はこの突部に係止されるよう、羽状に形成しても図２下図のように支持部４の最先端部を曲げて形成しても良い。
【００２５】
さらに図３は回動規制機構５のいくつかの例を示している。支持部４、長尺部材７とも、その回動規制機構５は、第１の使用状態と第２の使用状態で規制できればよく、夫々の数や形状、材質は特に限定されない。
【００２６】
このように回動規制機構５を設けると、図４のように第１の使用状態（上図）、第２の使用状態（下図）で容器１と柄２が所定角度に保持されるから、容器１が安定して傾き注水等が可能となる。
【００２７】
図５乃至図８は第２実施形態を説明する図である。
図５は支持部４が回動軸を持つタイプであり、図６は支持部４が容器１の外周に沿って延設されるタイプのものであり、どちらも枢支部６に枢支孔６aを含む回動規制機構５が設けられる。
【００２８】
図７の左右の上図は、回動規制機構５のしくみを説明する拡大図であり、枢支孔６aの内方に突設された第１の突部５aと、断面が楕円形状に形成された支持部４a若しくは支持部４の外方に突設された第２の突部４ｂとで構成され、第１および第２の使用状態で、第１の突部５aと支持部４aの短径の外周面、若しくは第１の突部５aと第２の突部４ｂとが係止されて容器と柄とを所定角度に保持することができるから、容器１が安定して傾き注水等が可能となる。
【００２９】
図７中図と下図の平面図に示すように、どの枢支部６でも、上記の回動規制機構５を設けることができる。容器内に長尺部材７を設けたもので、長尺部材の枢支部６に枢支孔６a及び上記の回動規制機構５を設けても、本発明に含まれるものである。
【００３０】
図８は同じく第２実施形態の別の回動規制機構５の拡大図と柄の動きを説明する図である。この回動規制機構５は、断面４ｃが複数の角部を有する形状に形成された支持部４と、少なくとも一面が平坦に形成された枢支孔６ｂとで構成され、第１の使用状態で支持部４の一の角部が枢支孔６ｂの平坦面に当接して容器と柄とを所定角度に保持すると共に、第２の使用状態で支持部４の他の角部が枢支孔６ｂの平坦面に当接して容器と柄とを所定角度に保持することができるから、容器１が安定して傾き注水等が可能となる。
【００３１】
以上のような構成とすることで、図５及び図６が示すとおり、外部内部とも突部などがなく、外観上スッキリしているうえ、使用時において異物の絡まりや付着物を低減できる。
【００３２】
図９は第３実施形態の平面図であり、図１０はその断面図と側面図である。
支持部４は、容器１の側面を貫通して容器内部に延設されると共に、先端が容器１の内壁及び又は底面に向かって屈曲形成され（４ｄ）、さらに支持部４を回動した場合に容器１の内壁及び又は底面に当接し得る長さに形成され、柄２の把持部３側を上方に傾けた第１の使用状態で、支持部４の先端４ｄが容器１の一の内壁に係止されてこの前記容器と柄ととを所定角度に保持すると共に、把持部３側を下方に傾けた第２の使用状態で支持部４の先端４ｄが容器１の底面又は他の内壁に係止されてこの前記容器と柄ととを所定角度に保持することができるから、容器１が安定して傾き注水等が可能となる。
【００３３】
図９に示すとおり、屈曲形成された支持部４の先端４ｄは、容器内の支持部４であればどの位置に形成しても良い。また、支持部の先端４ｄは別材を用いて形成されても構わない。
【００３４】
図１１は第３実施形態の断面図であり、左右の上図は、容器１の内壁及び又は底面には、支持部の先端を係止する凸部５ｂ又は凹部５ｃが形成され、第１及び第２の使用状態において、支持部の先端４ｄが凸部５ｂ又は凹部５ｃに係止されて容器と柄とを所定角度に保持する。
【００３５】
図１１中段と下段は、支持部の先端４ｄが、側面視でＬ字、逆Ｌ字、円弧、若しくはＴ字状に屈曲形成された図である。
【００３６】
図１２も第３実施形態の断面図と側面図であり、図１２の平面図は図９の下図になる。支持部４の先端４ｄは、複数の屈曲部が固着されてＶ字状に構成され、第１の使用状態で、一の屈曲部が容器の一の内壁又は底面に係止されて前記容器と柄とを所定角度に保持し、第２の使用状態で、他の屈曲部が容器の底面又は他の内壁に係止されて容器と柄とを所定角度に保持することができる。
【００３７】
このように、凸部５ｂ又は凹部５ｃを容器内に形成したり、支持部４の先端４ｄの形状、数を変えることで、先端４ｄを形成する位置を変えたり、様々な容器のサイズや形状に対応できるようになる
【００３８】
図１３は、本発明に係るひしゃくの第２の使用状態を示す支持部の説明図である。下図のように支持部４の柄２の把持部３側を下方に傾けた第２の使用状態で、支持部４が１容器の側面に当接するよう支持部を形成することにより、柄と容器とが所定角度に保持される。上図のような外周型の支持部４や、中図のような回動軸型の支持部４であっても、容器側面に当接するように容易に形成することができるため、上述した第１の使用状態の回動を規制する各技術と組み合わせて用いると良い。
【００３９】
図１４は第４実施形態の平面図と側面図である。
容器１の側面には、上下方向の長孔が穿設された支持板５ｄが固着され、支持部４は、先端が長孔を貫通して容器の対向する側面に回動可能に枢支され、柄の把持部側を上方に傾けた第１の使用状態で、支持部４の下端が長孔の上端に係止されて容器と柄とを所定角度に保持すると共に、把持部側を下方に傾けた第２の使用状態で支持部の上端が長孔の下端に係止されて容器と柄とを所定角度に保持する。支持板５ｄは容器と一体的に形成されても良く、支持板５ｄも容器１の一部である。
【００４０】
図１５は長孔が穿設された支持板５ｄを設ける場合に有効な柄の図である。前記支持部は、上下方向に屈曲形成されたクランク部４eを有し、このクランク部４eが前記支持板の長孔に挿通される。
【００４１】
このような構成とすることで、長孔及び支持板５ｄの大きさを小さくできる。クランク部は容器側面の角度に合わせて大きさ、角度を調節し、また流線形にしても良い。さらに、クランク部によって、容器の内部や外部と接触させ、回動規制機構としても本発明に含まれるものである。また、クランク部はいくつ作っても良く、クランク部を容器に押し込む、または引っ張るなどして容器と柄の角度を変えても良い。クランク部を狭くし支持板を挟み込んで、容器と柄を固定し従来のひしゃくのように用いることができるようにしても良い。
【００４２】
上述した各実施形態では別体の柄２と支持部４とを一体化したが、柄２と支持部４とを一体形成することもできる。柄２は伸縮自在にしても良い。容器の回動軸線に対する柄の角度（平面図で左右方向）をより注ぎやすくため、柄の角度は直角でなくても良く、適宜調節しても本発明に含まれるものである。上下左右に自在に調節できるよう、フレキシブルな柄にしても良い。
【符号の説明】
【００４３】
１  容器
２  柄
３  把持部
４  支持部
４a  断面が楕円形状に形成された支持部
４ｂ 支持部の外方に突設された突部
４ｃ 複数の角部を有する形状に形成された支持部
４ｄ 屈曲形成された支持部の先端
４e  屈曲形成されたクランク部
５  回動規制機構
５a 枢支孔の内方に突設された突部
５ｂ 支持部の先端を係止する容器内の凸部
５ｃ 支持部の先端を係止する容器内の凹部
５ｄ 長孔が穿設された支持板
６  枢支部
６a  枢支孔
６ｂ 一面が平坦に形成された枢支孔
７  長尺部材
【図１】
2020025514.tif 000003
【図２】
2020025514.tif 000004
【図３】
2020025514.tif 000005
【図４】
2020025514.tif 000006
【図５】
2020025514.tif 000007
【図６】
2020025514.tif 000008
【図７】
2020025514.tif 000009
【図８】
2020025514.tif 000010
【図９】
2020025514.tif 000011
【図１０】
2020025514.tif 000012
【図１１】
2020025514.tif 000013
【図１２】
2020025514.tif 000014
【図１３】
2020025514.tif 000015
【図１４】
2020025514.tif 000016
【図１５】
2020025514.tif 000017